(57)【要約】    【課題】遊技媒体との接触部位側に専用の部材を別途設けることなく、固定部材を利用して遊技媒体の静電気をアースに逃がすことができ、簡単な構造で容易且つ安価に製作できるようにする。    【解決手段】絶縁性を有し且つ遊技媒体と接触する接触部材１５と、接触部材１５とは別の別部材６４と、導電性を有し且つ遊技媒体と非接触状態で接触部材１５と別部材６４とを固定するネジ等の固定部材７７とを備え、遊技媒体の静電気を固定部材７７を経て逃がすように固定部材７７をアースに接続する。【選択図】図９
2011092257.tif 000002
【特許請求の範囲】
【請求項１】
絶縁性を有し且つ遊技媒体と接触する接触部材（１５，９６）と、該接触部材（１５，９６）とは別の別部材（６４，６３）と、導電性を有し且つ前記遊技媒体と非接触状態で前記接触部材（１５，９６）と前記別部材（６４，６３）とを固定する固定部材（７７，９０，９４）とを備えた遊技機において、前記遊技媒体の静電気を前記固定部材（７７，９０，９４）を経てアースに逃がすように該固定部材（７７，９０，９４）をアースに接続したことを特徴とする遊技機。
【請求項２】
前記固定部材はネジ（７７，９４）であることを特徴とする請求項１に記載の遊技機。
【請求項３】
前記接触部材（１５，９６）は前記遊技媒体の接触部に近接して取り付け部（７３）を有し、該取り付け部（７３）に挿通又は螺合する前記ネジ（７７，９４）により前記別部材（６４，６３）を固定したことを特徴とする請求項２に記載の遊技機。
【請求項４】
前記別部材は遊技機本体（１）の前面側に配置された支持板（６４）であり、前記接触部材は前記支持板（６４）の前面に配置され且つ前記遊技媒体を受ける受け皿（１５）であることを特徴とする請求項２又は３に記載の遊技機。
【請求項５】
前記支持板（６４）の後側に、電子部品（８４）が搭載された基板（８２）を配置し、該基板（８２）よりも前記受け皿（１５）内の前記遊技媒体又は前記受け皿（１５）へと送られる前記遊技媒体に近い位置の前記ネジ（７７）にアース線（８６）を接続したことを特徴とする請求項４に記載の遊技機。
【請求項６】
前記受け皿（１５）に前記遊技媒体を供給するための供給口（６９）に近い位置を含む複数箇所に前記ネジ（７７）があり、該複数箇所の前記ネジ（７７）の内、前記供給口（６９）に近い位置の前記ネジ（７７）にアース線（８６）を接続したことを特徴とする請求項５に記載の遊技機。
【請求項７】
前記遊技媒体の静電気は前記接触部材（１５，９６）を構成する絶縁材を介して逃がすことを特徴とする請求項１〜６の何れかに記載の遊技機。
【発明の詳細な説明】
【技術分野】
【０００１】
本発明は、遊技球、メダル等の遊技媒体を用いてゲームを行う遊技機に関するものである。
【背景技術】
【０００２】
遊技球、メダル等の遊技媒体を用いてゲームを行う遊技機には、パチンコ機、アレンジボール機等の遊技球を用いる弾球遊技機、メダルを用いるスロットマシン，更にはメダルの代わりに遊技球を用いるスロットマシン等がある。
【０００３】
これらの遊技機では、遊技球、メダル等の遊技媒体が通路等を通過する際に、周囲の通路壁等との接触によって静電気が生じ、それによって遊技球、メダル等の遊技媒体が帯電することがある。
【０００４】
例えば、パチンコ機では、遊技盤の入賞手段に遊技球が入賞すれば、払い出し手段が作動して貯留タンクの遊技球を受け皿へと払い出すようになっているが、大当たり等で大入賞手段に多数の遊技球が入賞したときには、払い出し手段が多くの遊技球を間断なく払い出すため、遊技球が通路等を通過するときに合成樹脂製の通路壁との接触によって静電気が生じ、遊技球が帯電する。
【０００５】
この遊技球に帯電した静電気は最終的には放電するが、電子部品を備えた基板等の近傍で静電放電が発生すれば、そのときの電磁波のノイズによって電子部品が誤動作したり、遊技者を介して放電すれば人体に強い衝撃が加わったりすることがある。
【０００６】
そこで、その対策として、遊技球を案内する通路の通路壁を導体により構成して、通路を通過中の遊技球が導体に接触したときに、この導体を経て遊技球の静電気を除去するようにしたもの（特許文献１）、遊技球を受ける受け皿内に静電気除去シートを装着して、受け皿内に入ったときに、この静電気除去シートを経て静電気を除去するようにしたもの（特許文献２）等が考えられている。
【先行技術文献】
【特許文献】
【０００７】
【特許文献１】特開２００１−０３８０２０号公報
【特許文献２】特開２００２−２００２９８号公報
【発明の概要】
【発明が解決しようとする課題】
【０００８】
しかし、従来の静電気対策は、通路壁を導体により構成したり、受け皿内に静電気除去シートを設けたりする等、それ専用の部材を別途設けている。このため専用の部材が別途必要である上に、その部材を通路、受け皿に装着する工程が必要であり、組み立て工程が複雑になって、製作コストがアップするという問題がある。
【０００９】
本発明はこのような問題点に鑑み、遊技媒体との接触部位側に専用の部材を別途設けることなく、遊技媒体と接触する接触部材と別部材とを固定する固定部材を利用して遊技媒体の静電気をアースに逃がすことができ、簡単な構造で容易且つ安価に製作できる遊技機を提供することを目的とする。
【課題を解決するための手段】
【００１０】
本発明は、絶縁性を有し且つ遊技媒体と接触する接触部材１５，９６と、該接触部材１５，９６とは別の別部材６４，６３と、導電性を有し且つ前記遊技媒体と非接触状態で前記接触部材１５，９６と前記別部材６４，６３とを固定する固定部材７７，９０，９４とを備えた遊技機において、前記遊技媒体の静電気を前記固定部材７７，９０，９４を経てアースに逃がすように該固定部材７７，９０，９４をアースに接続したものである。
【発明の効果】
【００１１】
本発明では、遊技媒体との接触部位側に専用の部材を別途設けることなく、遊技媒体と接触する接触部材１５，９６と別部材６４，６３とを固定する固定部材７７，９０，９４を利用して遊技媒体の静電気をアースに逃がすことができるので、簡単な構造で容易且つ安価に製作できる利点がある。
【図面の簡単な説明】
【００１２】
【図１】本発明の第１の実施形態を示すパチンコ機の全体正面図である。
【図２】同じくガラス扉及び下部開閉扉を外した状態の正面図である。
【図３】同じく全体背面図である。
【図４】同じく下部開閉扉の分解斜視図である。
【図５】同じく下受け皿側の分解斜視図である。
【図６】同じく下受け皿側の平面断面図である。
【図７】同じく下部開閉扉側の側面断面図である。
【図８】同じく下部開閉扉側の側面断面図である。
【図９】同じく作用説明図である。
【図１０】本発明の第２の実施形態を示す下受け皿側の側面断面図である。
【図１１】同じく要部の拡大断面図である。
【図１２】本発明の第３の実施形態を示す下受け皿側の側面断面図である。
【図１３】本発明の第４の実施形態を示す下受け皿側の背面断面図である。
【図１４】同じく側面断面図である。
【図１５】本発明の第５の実施形態を示す下受け皿側の側面断面図である。
【図１６】同じく背面断面図である。
【図１７】本発明の第６の実施形態を示す下受け皿側の側面断面図である。
【図１８】本発明の第７の実施形態を示す下受け皿側の側面断面図である。
【発明を実施するための形態】
【００１３】
以下、本発明の各実施形態を図面に基づいて詳述する。図１〜図９は本発明をパチンコ機に採用した第１の実施形態を例示している。図１、図２において、遊技機本体１は矩形状の外枠２と、この外枠２の左右一側、例えば左側のヒンジ３を介して縦軸心廻りに開閉自在及び着脱自在に枢着された前枠４とを備えている。
【００１４】
前枠４には上部側の上部装着部５に遊技盤６が、下部側の下部装着部７に発射手段８等が夫々配置されている。前枠４の前側には、上部装着部５に対応するガラス扉９と、下部装着部７に対応する下部開閉扉１０とが、ヒンジ３と同じ側のヒンジ１１により開閉及び着脱自在に枢着されている。ガラス扉９には遊技盤６側の遊技領域１２に対応するガラス窓１３が設けられている。下部開閉扉１０には後述の払い出し手段３８により払い出された遊技球を受けて貯留し且つその遊技球を発射手段８側へと供給するための上受け皿１４と、この上受け皿１４の遊技球が満杯のときに余剰球を受けて貯留する下受け皿１５と、発射手段８を作動させるための発射ハンドル１６等が設けられている。
【００１５】
上部装着部５には、遊技盤６を装着するための遊技盤装着枠１７が設けられている。遊技盤６は遊技盤装着枠１７に対して前側から装着され、１又は複数の固定具１８により着脱自在に固定されている。遊技盤６の前面側には、発射手段８により発射された遊技球を遊技領域１２の上部側に案内するガイドレール１９が環状に装着され、また遊技領域１２内には画像表示手段２１、普通図柄始動手段２２、特別図柄始動手段２３、大入賞手段２４、普通入賞手段２５等の各種の遊技部品が装着されている。
【００１６】
遊技盤６の裏面には、図３に示すように、画像表示手段２１等の遊技部品を後側から覆う裏ケース２７と、その裏ケース２７の下側に配置される集球ケース２８とが装着されている。集球ケース２８の裏面には主制御基板２９を収容する主基板ケース３０が装着され、裏ケース２７の裏面に演出制御基板３１を収容する演出基板ケース３２と、液晶制御基板３３を収容する液晶基板ケース３４とが装着されている。
【００１７】
前枠４の裏面には、裏ケース２７、演出基板ケース３２、液晶基板ケース３４等の後側を略覆う裏カバー３５が開閉自在に装着されている。また前枠４の裏面には、裏カバー３５の上側に遊技球タンク３６及びタンクレール３７とが、左右一側（例えばヒンジ３側）に払い出し手段３８と払い出し通路３９とが夫々装着されており、遊技球が大入賞手段２４等に入賞したとき、及び図外の自動球貸し機から球貸し指令があったときに、遊技球タンク３６内の遊技球をタンクレール３７を経て払い出し手段３８により払い出し、その遊技球を払い出し通路３９等を経て上受け皿１４に案内するようになっている。
【００１８】
下部装着部７の裏面には基板装着台４０が着脱自在に装着され、この基板装着台４０の裏面に、電源基板４１を収容する電源基板ケース４２と、払い出し制御基板４３を収容する払い出し基板ケース４４とが着脱自在に装着されている。
【００１９】
下部装着部７の前面には、図２に示すように左右方向略中央に発射手段８が配置され、この発射手段８の一側に、払い出し手段３８の下流側の払い出し通路３９に接続された分岐通路ユニット４６等が、他側にスピーカ４７等が夫々配置されている。分岐通路ユニット４６は上受け皿１４内が満杯状態になるまでは払い出し手段３８から払い出された遊技球を上供給口４８から上受け皿１４へと案内し、上受け皿１４内が満杯状態になった後は、払い出し手段３８からの遊技球を戻し通路ユニット４９へと分岐させるようになっている。
【００２０】
発射手段８は、図２に示すように板金製の取り付け板５０と、この取り付け板５０の前面に装着された発射レール５１と、取り付け板５０の前面で前後方向の駆動軸５２廻りに揺動自在に支持された打撃槌５３と、取り付け板５０の裏側に装着され且つ打撃槌５３を駆動軸５２を介して打撃方向に駆動するロータリソレノイド等の発射駆動手段５４等を備え、発射レール５１上に供給された遊技球を打撃槌５３により打撃して遊技盤６側へと発射させるようになっている。
【００２１】
下部開閉扉１０は、図４〜図８に示すように、下部装着部７の前側に略平行に配置された開閉板５６を有し、この開閉板５６の前側には上下に配置された上受け皿１４及び下受け皿１５と、これら上受け皿１４及び下受け皿１５を含む開閉板５６側の略全体を前側から覆う化粧カバー５７と、下受け皿１５の右側で化粧カバー５７の前側に突設された発射ハンドル１６とが装着され、また開閉板５６の裏側には球送り手段５８と戻し通路ユニット４９とが着脱自在に装着されている。
【００２２】
開閉板５６は下部装着部７を略覆う横長矩形状に形成された合成樹脂製であって、図４、図６〜図８に示すように裏側に板金製の補強板６０が装着されている。上受け皿１４は、図４〜図８に示すように開閉板５６の前面に装着されており、分岐通路ユニット４６を経て開閉板５６の上供給口４８から供給される遊技球を受けて貯留する一方、この上受け皿１４内の遊技球を球送り通路５９を経て球送り手段５８へと供給するようになっている。球送り手段５８は発射手段８の発射動作に連動して、球送り通路５９からの遊技球を１個ずつ発射手段８の発射レール５１上に送るようになっている。
【００２３】
化粧カバー５７は、図４〜図８に示すように、上受け皿１４を覆う上部皿カバー６２と、下受け皿１５を覆う下部皿カバー６３と、開閉板５６を前側から覆う支持板６４とを備えている。上部皿カバー６２は上受け皿１４の外周及び下側を覆うもので、その後端が支持板６４に前面から当接して裏側からネジ等により固定されている。上部皿カバー６２の上面には、上受け皿１４の前側に操作部兼用の回転発光手段６５が、左右一側部に演出操作部６６が、他側部に貸し球操作部６７が夫々設けられている。
【００２４】
下受け皿１５は支持板６４の下供給口６９から供給される余剰球を受けて貯留するためのもので、図５〜図８に示すように支持板６４の前面に装着されている。下受け皿１５は支持板６４の前面に当接する後端縁７０と、発射ハンドル１６側が低くなる底壁部７１とを有する。下受け皿１５には底壁部７１の最低部に排出口７２が上下に貫通状に形成され、また左右方向に複数の取り付け部７３が後端縁７０から前側へと前後方向に一体に形成されている。
【００２５】
下受け皿１５の後端縁７０には、図５〜図８に示すように底壁部７１から後側に突出する嵌合突部７４が設けられ、この嵌合突部７４が支持板６４の孔等の嵌合部７５に嵌合されている。取り付け部７３には支持板６４の裏側から挿通されたタッピングネジ７７が螺合されている。従って、下受け皿１５は嵌合突部７４の嵌合部７５に対する嵌合構造と、取り付け部７３に螺合するタッピングネジ７７とにより支持板６４に固定されている。
【００２６】
下供給口６９は、図４〜図８に示すように、下受け皿１５の底壁部７１の低部側に対応して支持板６４に形成され、補強板６０の裏側の戻し通路ユニット４９の球戻し通路７８と、開閉板５６と支持板６４との間の球抜き通路７９とに連通しており、球戻し通路７８、球抜き通路７９からの遊技球を下受け皿１５へと供給するように構成されている。
【００２７】
球送り通路５９と球抜き通路７９との間には、図４に示すように、両者間を開閉する開閉部材７６が設けられている。なお、下供給口６９は下受け皿１５の側壁部８０の上部に対応して配置されている。戻し通路ユニット４９は分岐通路ユニット４６で分岐された余剰球等を球戻し通路７８を経て下受け皿１５へと戻すようになっている。
【００２８】
下供給口６９に対して球送り通路５９、球抜き通路７９と反対側で開閉板５６と支持板６４との間には、図５、図６、図８に示すように中継基板８２が配置されている。中継基板８２は支持板６４の裏側にネジ等で固定され、裏側から保護カバー８３により覆われている。
【００２９】
中継基板８２にはその裏側にコネクタ８４等の電子部品が装着されており、またコネクタ８４に着脱自在に接続されたハーネス等を介して、発射ハンドル１６、回転発光手段６５、演出操作部６６、貸し球操作部６７側の電子部品（電気部品）と、電源基板４１その他の電気系統とを電気的に中継するようになっている。
【００３０】
保護カバー８３は支持板６４のボス部８５に固定されている。中継基板８２はその下端が下受け皿１５の底壁部７１と略同等か又は底壁部７１よりも若干低い位置にあり、支持板６４を挟んで下受け皿１５と前後に相対応している。
【００３１】
タッピングネジ７７には導電性を有する金属製のものが使用されている。複数のタッピングネジ７７の内、下供給口６９の下側にあって、中継基板８２に最も近い位置にある１個のタッピングネジ７７は、図５〜図８に示すように、アース線８６を介してアースに接続されている。アース線８６はコ字状、Ｕ字状、丸孔状等のネジ挿通部が形成された端子具８７を有し、その端子具８７に挿通されたタッピングネジ７７により支持板６４の裏側に着脱自在に固定されている。
【００３２】
即ち、タッピングネジ７７用の取り付け部７３は、下受け皿１５内に溜まるか又は排出口７２側へと移動する遊技球が接触する接触部に近い位置にあり、その取り付け部７３に螺合するタッピングネジ７７にアース線８６が接続されている。従って、下受け皿１５内の静電気を帯びた遊技球が、図９に示すようにタッピングネジ７７の上側に位置した場合には、両者間に電界が生じて遊技球の電荷がタッピングネジ７７へと移動しアース線８６を介してアースへと流れることになり、遊技球の静電放電による電磁波の影響で中継基板８２の電子部品が誤動作する惧れはない。
【００３３】
なお、アース線８６は開閉板５６と支持板６４との間を経て、ヒンジ１１近傍で開閉板５６等に形成された切り欠き部８８から裏側に引き出されて、下部装着部７の前面側のアース用の導体に接続されている。アースには各基板２９，３１，３３等のアース系と、遊技球の静電気を逃がすアース系とが別にあり、アース線８６は後者のアース系を経てアースされている。アース線８６の一端側をタッピングネジ７７に巻き付ける等により直接接続してもよい。
【００３４】
下部皿カバー６３は下受け皿１５の外周及び下側を覆うもので、その後端が支持板６４に前面から当接して裏側からタッピングネジ７７等により固定されている。下受け皿１５の底壁部７１と下部皿カバー６３との間には排出口７２を開閉する開閉部材８９が組み込まれており、下部皿カバー６３の前面側の球抜き操作部８９ａを操作したときに開閉部材８９が排出口７２を開放して、下受け皿１５内の遊技球を下方に排出するようになっている。
【００３５】
遊技球タンク３６、タンクレール３７、払い出し手段３８、上受け皿１４等には、必要に応じて遊技球の帯電を防止するための帯電防止板（図示省略）が装着されており、アース線８６はそれらの各帯電防止板をアースするアース系に接続されている。このアース系は各基板２９，３１，３３等をアースする基板アース系とは別に設けられている。また下受け皿１５、化粧カバー５７を構成する支持板６４、上部皿カバー６２及び下部皿カバー６３、開閉部材８９等は合成樹脂製であって、絶縁性を有する。
【００３６】
なお、この実施形態では、支持板６４の裏側に中継基板８２を設けているが、中継基板８２とは別に又は中継基板８２に代えて、貸し球操作部と球貸し機とを接続するインターフェース基板、その他の基板を設けてもよい。
【００３７】
このような構成のパチンコ機では、下受け皿１５の底壁部７１の下側には導体であるタッピングネジ７７があり、そのタッピングネジ７７がアース線８６を介してアースされている。このため静電気を帯びた下受け皿１５内の遊技球が底壁部７１上に堆積すると、その静電気を帯びた遊技球と導体であるタッピングネジ７７との間に電界が生じることになり、遊技球の電荷がタッピングネジ７７へと移動し、アース線８６を経て瞬時にアースに流すことができる。
【００３８】
即ち、遊技球と導体であるタッピングネジ７７とが図９に示すように一対の電極を構成し、遊技球に帯電した静電気により両電極間に異なる電荷が加わるため、両電極間に電界が生じる。このため一方の電極である遊技球の電荷は、絶縁材である下受け皿１５の底壁部７１を介して他方の電極であるタッピングネジ７７へと速やかに移動し、アース線８６を経てアースへと流れる。
【００３９】
従って、下受け皿１５内の遊技球の静電放電による電磁波をノイズとして中継基板８２側の電子部品が拾って誤動作するようなこともないし、下受け皿１５内の遊技球に遊技者が接触しても、遊技者の人体を介して放電するようなこともない。
【００４０】
またタッピングネジ７７を一方の電極として、下受け皿１５内の遊技球の静電気をアースに逃がすので、下受け皿１５内に別途放電用の電極を設ける必要がなく、電極用の材料が不要である上に、その電極を下受け皿１５内に組み込む作業等が不要であるため、容易且つ安価に製作することができる。またタッピングネジ７７により下受け皿１５を支持板６４に固定する際に、複数のタッピングネジ７７の内その１個のタッピングネジ７７にアース線８６を接続すればよいので、アース線８６の接続作業も容易にできる。
【００４１】
更に複数のタッピングネジ７７の内、下受け皿１５内の遊技球に近いタッピングネジ７７、中継基板８２に近いタッピングネジ７７にアース線８６を接続して、そのタッピングネジ７７にアース線８６を接続しているので、このタッピングネジ７７を介して遊技球の静電気を確実に逃がし、中継基板８２側の誤動作等も防止することができる。
【００４２】
図１０、図１１は本発明の第２の実施形態を例示する。この実施形態では、下受け皿１５を支持板６４に固定する固定部材として圧入ピン９０を用い、この圧入ピン９０を経て遊技球の静電気をアースに流すようにしたものである。
【００４３】
圧入ピン９０は合成樹脂製であって、頭部９０ａと圧入軸部９０ｂとを一体に有し、少なくともその圧入軸部９０ｂの外周面には導電性皮膜９０ｃがコーティングされている。圧入ピン９０はその圧入軸部９０ｂが支持板６４の通孔９１から下受け皿１５の取り付け部７３の圧入孔７３ａ内に圧入され、また支持板６４と頭部９０ａとの間で圧入軸部９０ｂの外周の導電性皮膜９０ｃにアース線８６が接続されている。他の構成は第１の実施形態と略同様である。
【００４４】
この場合にも下受け皿１５内の遊技球が静電気に帯電すれば、その静電気を圧入ピン９０の外周の導電性皮膜９０ｃを経てアースに逃がすことができる。従って、固定部材はタッピングネジ７７に限定されるものではなく、導電性を有するものであれば、このような圧入ピン９０等を使用することも可能である。また圧入ピン９０のように外周に導電性皮膜９０ｃを設ける等により導電性を持たせれば、主要部が合成樹脂材等の絶縁材により構成された固定部材でもよい。
【００４５】
図１２は本発明の第３の実施形態を例示する。この実施形態では、下受け皿１５の底壁部７１に下側に突出する取り付け部７３が一体に設けられ、この取り付け部７３に下部皿カバー６３を下側から固定するタッピングネジ７７が螺合されている。そして、アース線８６は下部皿カバー６３の下側でタッピングネジ７７に接続されている。
【００４６】
この実施形態のタッピングネジ７７は、下受け皿１５の底壁部７１に対して厚さ方向（上下方向）に配置されているが、下受け皿１５内の遊技球と近接した状態にある。従って、遊技球が静電気に帯電すれば、その静電気をタッピングネジ７７、アース線８６を経てアースに逃がすことができる。
【００４７】
従って、タッピングネジ７７、圧入ピン９０等の固定部材を設けるに当たっては、その固定部材を介して遊技球の静電気を逃がすことが可能であるならば、下受け皿１５の底壁部７１に対する固定部材の方向は別段問題ではない。またタッピングネジ７７を利用する場合にも、第１の実施形態のように放電時に遊技球と接触状態にある下受け皿（接触部材）１５を支持板（別部材）６４に固定するためのものでもよいし、第３の実施形態のように下受け皿１５に下部皿カバー（別部材）６３を固定するためのものでもよい。
【００４８】
図１３、図１４は本発明の第４の実施形態を例示する。下受け皿１５は合成樹脂製であって、底壁部７１には開閉部材８９により開閉自在な排出口７２が設けられている。下受け皿１５の内面にはその全面に金属メッキ等の導電性皮膜９２が形成されている。下受け皿１５は支持板６４を貫通して底壁部７１及び周壁部８０側の各取り付け部７３に螺合する複数のタッピングネジ７７により支持板６４に着脱自在に固定されている。
【００４９】
そして、この複数のタッピングネジ７７の内、少なくとも何れか１個のタッピングネジ７７、例えば一方の周壁部８０側の取り付け部７３に螺合するタッピングネジ７７ａにアース線８６が接続され、このタッピングネジ７７ａを介して遊技球の静電気をアースに逃がすようになっている。
【００５０】
この下受け皿１５のように底壁部７１側の遊技球が溜まる部分から、タッピングネジ７７のある側壁部８０に跨がってその内面に導電性皮膜９２等の導体がある場合には、その導電性皮膜９２等の導体のタッピングネジ７７ａに対応する部分と、そのタッピングネジ７７ａとを一対の電極として遊技球の静電気がかかるため、遊技球の静電気を導電性皮膜９２等の導体、タッピングネジ７７ａ、アース線８６を介してアースに逃がすことができる。
【００５１】
従って、複数のタッピングネジ７７がある場合には、下受け皿１５内の遊技球と最も近い位置にあるタッピングネジ７７にアース線８６を接続せずに、他の位置にあるタッピングネジ７７ａに接続してもよい。導電性皮膜９２等の導体は、遊技球側からタッピングネジ７７ａ側に跨がって内面の一部に設けてもよい。
【００５２】
図１５、図１６は本発明の第５の実施形態を例示する。この実施形態は通路ユニット９３を通過中の遊技球の静電気をボルト９４を経てアースに逃がすようにしたものである。通路ユニット９３は合成樹脂製であって、隔壁９５の両側に通路部９６ａが形成された断面Ｈ状の通路本体９６と、この通路本体９６の両側に各通路部９６ａの開放側を塞ぐように装着された側板９８とを備えている。
【００５３】
通路本体９６、側板９８は金属製のボルト９４とナット９７とにより固定されている。ボルト９４は両側板９８に跨がって通路本体９６の取り付け部９９に挿通され、その一端側にナット９７が螺合されている。複数のボルト９４の内、通路本体９６の底壁部１００の取り付け部９９に挿通されたボルト９４にアース線８６が接続されている。
【００５４】
この場合には、遊技球に静電気が帯電しても、遊技球が底壁部１００上を転動するときに、その静電気をボルト９４を経てアースに逃がすことができる。なお、遊技球の移動中にその静電気をボルト９４等の固定部材を経て逃がす構成を採用する場合には、落下する遊技球を受ける位置の底壁部１００、遊技球の移動速度が遅い位置の底壁部７１等に設けることが望ましい。
【００５５】
図１７は本発明の第６の実施形態を例示する。この実施形態では遊技球とタッピングネジ７７との間の誘電率を下受け皿１５の底壁部７１を構成する合成樹脂材よりも低くして、遊技球の静電気をスムーズにアースへと逃がすようにしている。
【００５６】
即ち、図１７（Ａ）では、遊技球とタッピングネジ７７との間に対応して開口１０１が下受け皿１５の底壁部７１に形成されている。このように少なくともタッピングネジ７７の上側に開口１０１を設けることにより、開口１０１内の空気層により遊技球とタッピングネジ７７との間の誘電体が構成されるので、その誘電率を合成樹脂材のそれよりも下げることができる。
【００５７】
図１７（Ｂ）では、タッピングネジ７７の上側に対応して丸孔、角孔、長孔等の小孔状の複数個の開口１０２が下受け皿１５の底壁部７１に形成されている。図１７（Ａ）の場合には開口１０１が１個であるため、その開口１０１上で遊技球が滞留しないような位置、大きさにする等の制約があるが、このように小孔状の開口１０２を複数個設ける場合には遊技球の滞留等の問題を解消することができる。
【００５８】
図１７（Ｃ）では、上側が導体等の閉塞体１０３により閉塞された空間１０４が下受け皿１５の底壁部７１に設けられている。このように閉塞体１０３により閉塞された空間１０４を設けることにより、遊技球とタッピングネジ７７との間の誘電率を下げながら、空間内へのゴミ等の侵入を防止できる。また閉塞体１０３が導電性を有する場合には、タッピングネジ７７との距離が更に短くなる利点がある。なお、閉塞体１０３は嵌合式のキャップにより構成され、外れ止め部１０５を有する。
【００５９】
図１８は本発明の第７の実施形態を例示する。この実施形態ではタッピングネジ７７が直接的又は間接的に遊技球に接触して、このタッピングネジ７７を介して遊技球の静電気をアースに逃がすように構成されている。
【００６０】
即ち、図１８（Ａ）では、下受け皿１５の底壁部７１の取り付け部７３に螺合して下部皿カバー６３を底壁部７１に固定するタッピングネジ７７の上端が底壁部７１内に露出しており、その下受け皿１５内の遊技球がタッピングネジ７７に直接接触するようになっている。
【００６１】
図１８（Ｂ）（Ｃ）では、タッピングネジ７７の上側で下受け皿１５の底壁部７１に形成される凹部１０６内に、導電性ゴムその他の導電性を有する充填物１０７が充填されている。充填物１０７は底壁部７１の上面と略面一状又は若干突出する程度であって、下受け皿１５内の遊技球が充填物１０７に接触するようになっている。
【００６２】
これらの場合には、静電気を帯びた遊技球がタッピングネジ７７に直接接触するか、または充填物１０７を介してタッピングネジ７７に間接的に接触すると、その静電気をタッピングネジ７７からアース線８６を介してアースに逃がすことができる。
【００６３】
以上、本発明の各実施形態について詳述したが、本発明は各実施形態に限定されるものではなく、その趣旨を逸脱しない範囲で種々の変更が可能である。例えば各実施形態では、遊技機としてパチンコ機を、遊技媒体として遊技球を夫々例示し、その遊技球が接触する接触部材として、下受け皿１５、通路ユニット９３等を例示しているが、遊技機はスロットマシンとし、遊技媒体はそのスロットマシンに使用されるメダルとしてもよい。
【００６４】
また遊技媒体と接触する接触部材と、これとは別の別部材とを１個又は複数個の固定部材により固定する場合に、その固定部材の少なくとも１個をアースに接続すればよいが、別部材は絶縁材、導電材の何れでもよい。例えば別部材は、遊技球と非接触の場合に金属材等の導電材とし、遊技球と接触する場合に絶縁材としてもよい。
【００６５】
固定部材はタッピングネジ７７、ボルト９４の他、ドリルネジ、木ネジ、ビス等の各種のネジを使用可能であるし、２部材を固定可能な圧入ピン９０、リベット等、ネジ以外のものでもよい。中継基板８２に代えて他の基板を設けてもよい。また基板に装着する電子部品はコネクタ８４以外のＩＣ素子、スイッチ等でもよい。固定部材は静電気が帯電する遊技媒体と直接的又は間接的に接触してもよいし、接触しなくてもよい。
【００６６】
更に遊技媒体として遊技球を使用する遊技機には、パチンコ機、アレンジボール機等の弾球遊技機の他、メダルの代わりにパチンコ球を用いたスロットマシン等があり、それらでも同様に実施可能であることは言うまでもない。
【符号の説明】
【００６７】
１  遊技機本体
１５  下受け皿（接触部材）
６３  下部皿カバー（別部材）
６４  支持板（別部材）
６９  下供給口
７３  取り付け部
７７，７７ａ  タッピングネジ（固定部材）
８２  中継基板
８４  コネクタ（電子部品）
８６  アース線
９０  圧入ピン（固定部材）
９４  ボルト（（固定部材）
９６  通路本体（接触部材）
【図１】
2011092257.tif 000003
【図２】
2011092257.tif 000004
【図３】
2011092257.tif 000005
【図４】
2011092257.tif 000006
【図５】
2011092257.tif 000007
【図６】
2011092257.tif 000008
【図７】
2011092257.tif 000009
【図８】
2011092257.tif 000010
【図９】
2011092257.tif 000011
【図１０】
2011092257.tif 000012
【図１１】
2011092257.tif 000013
【図１２】
2011092257.tif 000014
【図１３】
2011092257.tif 000015
【図１４】
2011092257.tif 000016
【図１５】
2011092257.tif 000017
【図１６】
2011092257.tif 000018
【図１７】
2011092257.tif 000019
【図１８】
2011092257.tif 000020